(57)【要約】【課題】  アレイアンテナにおける干渉電波の影響を低減し、合成利得を損なうことなく信号の受信できるアダプティブアレイアンテナ型無線通信装置を提供する。【解決手段】  複数の受信機から出力された受信信号の相互関係に基いて、各受信信号に乗算すべき重み係数値を決定する受信信号重み係数制御部（２１）と、各受信信号を重み付けし、重み付けされた複数の受信信号を合成して１つの受信信号を生成する受信信号合成部（２３、２４）と、上記複数の受信機から出力された受信信号の相互関係に基いて、干渉信号の影響度の高い受信信号を検出し、該受信信号を上記受信信号合成部と受信信号重み係数制御部に入力される受信信号群から除外する有効信号選択部（２１０）とからなるアダプティブアレイアンテナ型無線通信装置。【選択図】  図１
2007074192.tif 000002
【特許請求の範囲】
【請求項１】
複数のアンテナ素子を備えたアダプティブアレイアンテナ型無線通信装置であって、
それぞれ上記アンテナ素子に接続された複数の受信機と、
上記複数の受信機から出力された受信信号間の相互関係に基いて、各受信信号に乗算すべき重み係数値を決定する受信信号重み係数制御部と、
上記受信信号重み係数制御部で決定された重み係数値に従って、上記各受信信号を重み付けし、重み付けされた複数の受信信号を合成して１つの受信信号を生成する受信信号合成部と、
上記複数の受信機から出力された受信信号の相互関係に基いて、干渉信号の影響度の高い受信信号を検出し、該受信信号を上記受信信号合成部および受信信号重み係数制御部に入力される受信信号群から除外する受信信号選択部とからなることを特徴とするアダプティブアレイアンテナ型無線通信装置。
【請求項２】
請求項１に記載のアダプティブアレイアンテナ型無線通信装置において、
それぞれ前記受信機から出力された受信信号をアナログ信号からディジタル信号に変換する複数のＡ／Ｄ変換器を有し、
前記受信信号選択部が、
上記各Ａ／Ｄ変換器から出力された受信信号を一時的に蓄積するバッファメモリと、
上記各Ａ／Ｄ変換器から出力された受信信号と上記バッファメモリから読み出された１シンボル周期前の受信信号とから、受信信号のシンボル周期毎に、基準位相情報と各アンテナ素子の受信信号の位相情報とを生成する基準位相生成部と、
上記基準位相から出力された基準位相情報と受信信号の位相情報とから、アンテナ素子毎に受信信号と基準位相との位相差を示す位相差情報を生成する位相差検出部と、
上記位相差検出部から出力される各アンテナ素子の位相差情報に基づいて、干渉信号の影響度の高い受信信号を特定し、該受信信号を除外して、前記受信信号合成部および受信信号重み係数制御部に供給すべき有効受信信号を決定する有効信号決定部と、
上記バッファメモリから並列的に出力された複数の受信信号の中から、上記有効信号決定部で決定した有効受信信号を選択し、前記受信信号合成部および受信信号重み係数制御部に供給するセレクタとを有することを特徴とするアダプティブアレイ型無線通信装置。
【請求項３】
前記有効信号決定部が、前記位相差検出部から出力される複数シンボル期間の位相差情報に基いて、所定周期毎に、前記受信信号合成部および受信信号重み係数制御部に供給すべき有効受信信号を決定することを特徴とする請求項２に記載のアダプティブアレイアンテナ型無線通信装置。
【請求項４】
前記有効信号決定部が、前記位相差検出部から出力される複数シンボル期間の位相差情報から閾値を決定し、該閾値と各アンテナ素子の位相差情報とに基いて、前記受信信号合成部および受信信号重み係数制御部に供給すべき有効受信信号を決定することを特徴とする請求項３に記載のアダプティブアレイアンテナ型無線通信装置。
【発明の詳細な説明】
【技術分野】
【０００１】
本発明は、無線通信装置に関し、更に詳しくは、指向性をもつアダプティブアレイアンテナを備えた無線通信装置に関するものである。
【背景技術】
【０００２】
移動体通信システムでは、移動端末の位置変化に伴うフェージングによって、基地局側での受信電波が一時的に低下する。移動端末（携帯端末）からの送信電波を安定的に受信する１つの技術として、受信状況に応じて２つのアンテナを選択的に切替えるダイバーシチ受信機が知られている。例えば、特開平０５−２０６９０４号公報では、２本のアンテナの受信電力測定結果から、バースト信号受信期間中の各アンテナの受信電力を予測しておき、受信電力の高い方のアンテナに選択的に切替えながらバーストデータを受信する選択ダイバーシチ受信機が提案されている。
【０００３】
最近では、指向性をもつ複数のアンテナ素子からなるアダプティブアレイアンテナ（Adaptive Allay Antenna）を備えた無線基地局が提案されている。アダプティブアレイアンテナ基地局では、端末毎に最適な指向性を得るために、移動端末からの無線信号を複数のアンテナ素子で受信し、重み付けされて受信信号を合成することによって、同一チャネルで受信される干渉波や遅延波などの影響を除去している。
【０００４】
図２は、アダプティブアレイアンテナ基地局の送受信部の概要的な構成を示す。
アダプティブアレイアンテナ基地局は、それぞれアンテナ素子１０−ｉ（ｉ＝１〜ｍ）に接続された複数組の受信機（Ｒｘ）１１−ｉと送信機（Ｔｘ）１４−ｉとを備えている。アンテナ素子１０−ｉで受信された移動体端末からの無線信号は、受信機１１−ｉでベースバンドのアナログ信号に変換した後、Ａ／Ｄ変換器１２−ｉに入力される。Ａ／Ｄ変換器１２−ｉでアナログ信号からディジタル信号に変換された受信信号は、受信信号の合成機能と、受信信号重み係数制御部２１および送信信号重み係数制御部２２としての機能とを備えるディジタル信号処理部２０に入力される。
【０００５】
受信信号重み係数制御部２１は、Ａ／Ｄ変換器１２−１〜１２−ｍから入力された各アンテナの受信信号（ディジタル信号）に基づいて、アレイアンテナが信号送信元（移動端末）方向の指向性をもつように、各受信信号に乗算すべき重み係数Ｗｉ（ｉ＝１〜ｍ）の値を算出する。Ａ／Ｄ変換器１２−ｉの出力信号は、乗算器２３−ｉ（ｉ＝１〜ｍ）と加算器２４とからなる受信信号合成部に入力され、乗算器２３−ｉ（ｉ＝１〜ｍ）によって重み係数Ｗｉと掛け合わせた後、加算器２４で合成され、受信信号ＲｘＤとして、復調器または基地局の網側インタフェースに転送される。
【０００６】
一方、網側から受信した信号（送信信号）ＴｘＤは、分配器２５で各アンテナ素子と対応して設けた乗算器２６−ｉ（ｉ＝１〜ｍ）に分岐され、送信信号重み係数制御部２２が指定した重み係数値ｗｉ（ｉ＝１〜ｍ）と掛け合わせた後、変調器２７−ｉに入力される。送信信号の重み係数ｗｉの値は、受信信号重み係数制御部２１で決定した重み係数Ｗｉ（ｉ＝１〜ｍ）に基づいて生成される。変調器２７−ｉで変調された送信信号は、Ｄ／Ａ変換器１３−ｉでディジタル信号からアナログ信号に変換され、送信機１４−ｉで所定の搬送周波数に変換して、アンテナ素子１０−ｉから送信される。
【０００７】
【特許文献１】特開２００５−２０６９０４号公報
【発明の開示】
【発明が解決しようとする課題】
【０００８】
アダプティブアレイアンテナ基地局では、移動端末から送信された同一チャネルの信号であっても、干渉波や遅延波など妨害波の影響がアンテナ素子毎に異なっている。移動端末が、直交変調によるＩ、Ｑ信号形式で各通信フレームを送信した場合、アンテナ素子１０−１〜１０−４の受信信号には、例えば、図３に信号Ｓ１〜Ｓ４で示すように大きな位相差が現れる。
【０００９】
従来のアダプティブアレイアンテナ基地局では、全てのアンテナ素子の受信信号を合成したものを移動端末からの受信信号としているが、上述したようにアンテナ素子毎に受信信号の状態が大きく異なっていると、合成後の受信信号に干渉電波の影響が残り、結果的に、アンテナ指向性の最適化が不完全となり、受信信号の復調に失敗する可能性がある。
【００１０】
例えば、図４に実で示したビームパターン１００Ａは、基地局ＢＳと移動端末ＭＳとの通信に妨害波の影響が少なかった場合のアレイアンテナの指向性を示している。全てのアンテナ素子の受信信号を有効信号として扱うと、干渉電波の影響が強い場合、例えば、破線パターン１００Ｂで示すように、アレイアンテナ指向性が移動端末の位置から外れた状態で、通信が継続される可能性がある。一方、特許文献１で提案された選択ダイバーシチ方式では、２つのアンテナ素子のうち、受信電力の高い一方のアンテナのみが利用され、他方のアンテナの受信信号は無視されるため、アダプティブアレイアンテナ方式に比較すると、受信信号の合成による利得効果が生かされないという問題がある。
【００１１】
本発明の目的は、アレイアンテナにおける干渉電波の影響を低減し、合成利得を損なうことなく信号の受信できるアダプティブアレイアンテナ型無線通信装置を提供することにある。
【課題を解決するための手段】
【００１２】
上記目的を達成するため、本発明のアダプティブアレイアンテナ型無線通信装置は、干渉の影響を強く受けたアンテナ素子の受信信号を除外して、残りのアンテナ素子の受信信号を合成して端末からの受信信号を生成することを特徴とする。
【００１３】
すなわち、本発明によるアダプティブアレイアンテナ型無線通信装置は、それぞれアンテナ素子に接続された複数の受信機と、上記複数の受信機から出力された受信信号の相互関係に基いて、各受信信号に乗算すべき重み係数値を決定する受信信号重み係数制御部と、上記受信信号重み係数制御部で決定された重み係数値に従って、上記各受信信号を重み付けし、重み付けされた複数の受信信号を合成して１つの受信信号を生成する受信信号合成部と、上記複数の受信機から出力された受信信号の相互関係に基いて、干渉信号の影響度の高い受信信号を検出し、該受信信号を上記受信信号合成部および受信信号重み係数制御部に入力される受信信号群から除外する受信信号選択部とからなることを特徴とする。
【００１４】
更に詳述すると、本発明のアダプティブアレイアンテナ型無線通信装置は、それぞれ受信機から出力された受信信号をアナログ信号からディジタル信号に変換する複数のＡ／Ｄ変換器とを有し、上記受信信号選択部が、
上記各Ａ／Ｄ変換器から出力された受信信号を一時的に蓄積するバッファメモリと、
上記各Ａ／Ｄ変換器から出力された受信信号と上記バッファメモリから読み出された１シンボル周期前の受信信号から、受信信号のシンボル周期毎に、基準位相情報と各アンテナ素子の受信信号の位相情報とを生成する基準位相生成部と、
上記基準位相から出力された基準位相情報と受信信号の位相情報とから、アンテナ素子毎に受信信号と基準位相との位相差を示す位相差情報を生成する位相差検出部と、
上記位相差検出部から出力される各アンテナ素子の位相差情報に基づいて、干渉信号の影響度の高い受信信号を特定し、該受信信号を除外して、前記受信信号合成部および受信信号重み係数制御部に供給すべき有効受信信号を決定する有効信号決定部と、
上記バッファメモリから並列的に出力された複数の受信信号から、上記有効信号決定部で決定した有効受信信号を選択的に前記受信信号合成部および受信信号重み係数制御部に供給するセレクタとを有することを特徴とする。
【発明の効果】
【００１５】
本発明によれば、各アンテナ素子の受信信号に乗算すべき重み係数の値を算出する前に、合成の対象となる受信信号群から干渉電波の影響度の高い受信信号を除外しておくことによって、アダプティブアンテナの指向性を高め、且つ、アレイアンテナ受信信号の合成利得を最大限に生かすことが可能となる。
【発明を実施するための最良の形態】
【００１６】
以下、図面を参照して、本発明の実施例を説明する。
図１は、図２に示したディジタル信号処理部２０に代わって、Ａ／Ｄ変換器１２−ｉとＤ／Ａ変換器１３−ｉ（ｉ＝１〜ｍ）に接続される本発明のディジタル信号処理部２００の１実施例を示す。ここでは、アンテナの素子数ｍを４とする。変調器２７−１〜２７−４は、それぞれＤ／Ａ変換器１３−１〜１３−４を介して送信機１４−１〜１４−４に接続されている。また、Ｓ１（θｎ）〜Ｓ４（θｎ）は、Ａ／Ｄ変換器１２−１〜１２−４から出力されるディジタル受信信号を示している
本実施例の特徴は、受信信号重み係数制御部２１の前段に、干渉電波の影響度が高い受信信号を除外するための受信信号選択部２１０を設けたことにある。ここに示した実施例では、受信信号選択部２１０は、基準位相生成部２１１と、位相差検出部２１２と、有効信号決定部２１３と、バッファメモリ２８と、セレクタ２９とからなり、セレクタ２９で選択された有効受信信号だけが、乗算器２３（２３−１〜３−４）を介して加算器２４に供給され、受信信号ＲｘＤの生成に寄与する。
【００１７】
以下、図５に示すように、アンテナ素子１０−１〜１０−４には、それぞれ基地局の通信相手となる移動端末（目標端末）ＭＳ−１からの送信信号（希望波信号）Ｄ１１〜Ｄ１４と、別の移動端末（干渉端末）ＭＳ−２からの送信信号（干渉波信号）Ｕ１１〜Ｕ１４とが到来するものとして、ディジタル信号処理部２０の動作を説明する。
移動端末ＭＳ−１は、図６に示すように、ヘッダ（Ｈ）部５１、データ部５２、ガード（Ｇ）部５３からなる通信フレーム形式でデータまたは音声を送信する。１つのフレームは、例えば、１２０ビット（シンボル）長を有し、第１６ビット〜第１１２ビットがデータ部となる。
【００１８】
図７に示すように、アンテナ素子１０−ｉ（ｉ＝１〜４）の受信信号（Ｄ１ｉ＋Ｕ１ｉ）は、受信機１１−ｉで処理され、直交変調信号Ｉ、Ｑとして出力される。信号Ｉ、Ｑは、Ａ／Ｄ変換器１２−ｉによって、それぞれサンプリングクロックＣＬに同期したディジタル信号Ｉｉ、Ｑｉに変換される。信号Ｉｉ、Ｑｉは、Ｉ−Ｑ軸上で信号強度（ＲＳＳＩ）と位相情報（θｎ）とで表される複素数となっているため、図１では、Ａ／Ｄ変換器１２−ｉから出力されたディジタル信号をＳｉ(θｎ)で示してある。ここで、ｎは、通信フレームのシンボル周期（＝Ａ／Ｄ変換器のサンプリング周期）を表しており、例えば、信号Ｓｉ(θｎ−１)は、Ｓｉ(θｎ)の１シンボル前の信号を示す。
【００１９】
アンテナ素子１０−ｉ（ｉ＝１〜４）で受信される信号ｘｉ（ｎ）は、雑音成分Ｎｉを考慮すると、式（１）〜（４）で表される。
【００２０】
ｘ１（ｎ）＝Ｄ１１（ｎ）＋Ｕ１１（ｎ）＋Ｎ１      …（１）
ｘ２（ｎ）＝Ｄ１２（ｎ）＋Ｕ１２（ｎ）＋Ｎ２      …（２）
ｘ３（ｎ）＝Ｄ１３（ｎ）＋Ｕ１３（ｎ）＋Ｎ３      …（３）
ｘ４（ｎ）＝Ｄ１４（ｎ）＋Ｕ１４（ｎ）＋Ｎ４      …（４）
各アンテナの受信信号は、受信機１１−ｉでベースバンドに周波数変換され、Ａ／Ｄ変換器１２−ｉでディジタル信号Ｓｉ(θｎ)に変換した後、図１のディジタル信号処理部２００に供給される。ディジタル信号処理部２００において、ディジタル信号Ｓｉ(θｎ)は、バッファメモリ２８と、基準位相生成部２１１に入力される。
【００２１】
基準位相生成分２１１は、最適なアンテナ素子を選択（不適切なアンテナ素子を除外）するために必要な基準位相を決定する。その目的ために、基準位相生成分２１１は、先ずＡ／Ｄ変換器から供給される受信信号Ｓｉ(θｎ)と、バッファメモリ２８に記憶された１シンボル前の受信信号Ｓｉ(θｎ−１)との間で、次式（５）〜式（８）で示される遅延検波（最大比合成：ＭＲＣ）を行い、アンテナ素子毎の位相情報ｘｉ(ｎ)を得る。ここで、ｘｉ＊は、信号ｘｉの共役転置を示す。
【００２２】
Ｘ１（ｎ）＝ｘ１（ｎ）×ｘ１＊（ｎ−１）            …（５）
Ｘ２（ｎ）＝ｘ２（ｎ）×ｘ２＊（ｎ−１）            …（６）
Ｘ３（ｎ）＝ｘ３（ｎ）×ｘ３＊（ｎ−１）            …（７）
Ｘ４（ｎ）＝ｘ４（ｎ）×ｘ４＊（ｎ−１）            …（８）
基準位相生成分２１１は、次に、位相情報ｘｉ(ｎ)から得られた各アンテナ素子の位相情報をＰｉ(θｎ)とし、次式（９）に従ってアンテナ平均位相Ｐ(θｎ)を算出し、Ｐｉ(θｎ)とＰ(θｎ)とを位相差検出部２１２に出力する。
【００２３】
Ｐ（θｎ）＝Ｐ１（θｎ）＋Ｐ２（θｎ）＋Ｐ３（θｎ）＋Ｐ４（θｎ）…（９）
上記平均位相Ｐ(θn)は、目標端末から受信される希望信号の近似位相を示しており、アンテナ選択のための基準（基準位相）となる。
【００２４】
位相差検出部２１２は、基準位相生成分２１１から出力されたアンテナ毎の位相Ｐｉ(θn)と平均位相Ｐ(θn)との差分をとる。ここで、位相情報θnを角度に変換して位相Ｐｉ(θn)と平均位相Ｐ(θn)との差分を算出すると、０°を跨いだ２つの位相の差分が正しく位相差を示さない。例えば、位相Ｐｉ(θn)と平均位相Ｐ(θn)の一方が１０°、他方が３５０°の場合、正しい位相差（鋭角）は２０°となるが、角度値で計算した位相差は、「３５０−１０＝３４０°」となってしまう。このため、位相差分検出部２１２は、次式（１０）〜（１３）に従って、複素数のままで位相Ｐｉ(θn)と平均位相Ｐ(θn)との位相差Ｐｘｉ(θn)を算出する。
【００２５】
Ｐｘ１（θｎ）＝Ｐ１（θｎ）×Ｐ（θｎ）＊          …（１０）
Ｐｘ２（θｎ）＝Ｐ２（θｎ）×Ｐ（θｎ）＊          …（１１）
Ｐｘ３（θｎ）＝Ｐ３（θｎ）×Ｐ（θｎ）＊          …（１２）
Ｐｘ４（θｎ）＝Ｐ４（θｎ）×Ｐ（θｎ）＊          …（１３）
有効信号決定部２１３は、瞬間的に発生した位相ずれによる誤検出を防ぐため、所定期間内に位相差分検出部２１２から出力される位相差情報Ｐｘｉ(θn)をアンテナ毎に累計し、次式（１４）〜（１７）で示す位相差累計値ＢｒＰｉ（ｉ＝１〜４）を求める。
【００２６】
ＢｒＰ１＝ΣＰｘ１（θｎ）                        …（１４）
ＢｒＰ２＝ΣＰｘ２（θｎ）                        …（１５）
ＢｒＰ３＝ΣＰｘ３（θｎ）                        …（１６）
ＢｒＰ４＝ΣＰｘ４（θｎ）                        …（１７）
上記位相差累計値ＢｒＰｉは、複数シンボル分の算出期間毎に周期的に算出される。位相差累計値ＢｒＰｉが小さければ小さいほど、目標端末との通信に適したアンテナ素子となる。そこで、本実施例では、位相差累計値ＢｒＰ１〜ＢｒＰ４の中から最小値Ｍｉｎ(ＢｒＰ)を選択し、これを基準値にして、次式（１８）に従って各アンテナの正規化後の位相差累計値Ｈｉを計算する。
【００２７】
Ｈｉ＝ＢｒＰｉ／Ｍｉｎ（ＢｒＰ）                    …（１８）
有効信号決定部２１３は、正規化された位相情報Ｈ１〜Ｈ４に基づいて、アンテナ選択のための閾値Ｔｈを決定し、正規化された位相情報が閾値Ｔｈ以下の受信信号を有効受信信号とする。正規化された位相情報が閾値Ｔｈよりも大きい受信信号Ｓｊ(θn)は、希望波信号の位相が干渉信号等の影響で乱れた状態にあるものと判断され、合成対象から除外される。
【００２８】
セレクタ２９は、バッファメモリ２８から出力される受信信号群の中から、有効信号決定部２１３が決定した有効受信信号を選択し、後段の受信信号合成部と受信信号重み係数制御部２１に供給する。本実施例では、有効信号決定部２１３は、有効受信信号を位相差累計周期で周期的に切替える。但し、受信信号Ｓｊ(θn)の除外が必ず発生するとは限らない。また、受信状況によっては、同時に複数の受信信号がセレクタ２９で除外される場合もある。
【００２９】
受信信号重み係数制御部２１は、セレクタ２９で選択された正規化位相情報が閾値Ｔｈ以下の有効受信信号のみに基づいて、各受信信号に乗算すべき重み係数Ｗｉの値を算出し、乗算器２３−１〜２３−４に与える。この場合、セレクタ２９で除外された受信信号は、受信重み係数制御部２１４に入力されないため、重み係数Ｗｉの算出には影響しない。
【００３０】
送信信号重み係数制御部２２は、受信信号重み係数制御部２１で算出した重み係数値に従って、乗算器２６−１〜２６−４に与えるべき送信信号用の重み係数値を生成する。この場合、セレクタ２９で除外された受信信号Ｓｊ(θn)と対応する乗算器２６−ｊの重み係数ｗｊは０となる。
【００３１】
本発明によれば、干渉信号等の影響が強いアンテナ素子を除外することによって、図４にパターン１００Ａで示すように、無線基地局ＢＳのアレイアンテナの指向性を目標端末ＭＳの方向に最適化することが可能となり、無線基地局ＢＳと移動端末との通信品質を向上できる。
【００３２】
例えば、無線基地局ＢＳが、移動端末ＭＳ−１から、１通信フレーム期間中の受信信号レベル（ＲＳＳＩ）の平均値が、
アンテナ１０−１：  ５．７［ｄＢｕＶ］
アンテナ１０−２：  ２．４［ｄＢｕＶ］
アンテナ１０−３：  ４．８［ｄＢｕＶ］
アンテナ１０−４：１０．３［ｄＢｕＶ］
となる無線信号を受信し、所定期間内にシンボル毎に算出されたアンテナ平均位相値を基準位相として、有効信号決定部２１３が式（１４）〜（１７）に従って算出した位相差累計値が、
アンテナ１０−１：  ５３．９
アンテナ１０−２：３６５．６
アンテナ１０−３：  ８７．０
アンテナ１０−４：    ７．７
であったと仮定する。
【００３３】
位相差累計値が基準位相に最も近いアンテナは１０−４となるため、アンテナ１０−４の位相差累計値７．７を基準値として、式（１８）で各アンテナ素子の位相差累計値を正規化すると、正規化された値は次のようになる。
【００３４】
アンテナ１０−１：  ７．０
アンテナ１０−２：４７．８
アンテナ１０−３：１１．４
アンテナ１０−４：  １．０
この場合、例えば、正規化された位相差累計値の平均値１６．８を閾値Ｔｈとすると、アンテナ素子１０−２の受信信号がセレクタ２９で除外され、受信信号重み係数制御部２１が、アンテナ素子１０−１、１０−３、１０−４の受信信号から各受信信号の重み係数を算出し、受信信号合成部（２３、２４）が、アンテナ素子１０−１、１０−３、１０−４の受信信号からＲｘＤを生成することになる。尚、閾値Ｔｈの代わりに、例えば、選択すべきアンテナの個数Ｎ（Ｎ＜４）を予め決めておき、位相差累計値の小さい順にＮ個のアンテナを選択するようにしてもよい。
【００３５】
図１で説明した4個のアンテナ素子を備えたアダプティブアレイアンテナ基地局ＢＳにおいて、アンテナ１０−１〜１０−４の受信信号Ｓ１〜Ｓ４が、図８に示すように位相変動し、１通信フレーム期間中の受信レベル（ＲＳＳＩ）の平均値が
アンテナ１０−１：  ４．０［ｄＢｕＶ］
アンテナ１０−２：  ７．４［ｄＢｕＶ］
アンテナ１０−３：  ３．９［ｄＢｕＶ］
アンテナ１０−４：  ６．７［ｄＢｕＶ］
となる無線信号を無線基地局ＢＳが受信したと仮定する。また、有効信号決定部２１３が式（１４）〜（１７）に従って算出した位相差累計値が、
アンテナ１０−１：  １８０．５
アンテナ１０−２：    １５．３
アンテナ１０−３：  １４４．０
アンテナ１０−４：    １８．２
となったと仮定する。この例では、位相差累計値が基準位相値に最も近いアンテナは、１０−２となるため、アンテナ１０−２の位相差累計値１５．３を基準値として、式（１８）で各アンテナ素子の位相差累計値を正規化すると、正規化された値は次のようになる。
【００３６】
アンテナ１０−１：  １１．８
アンテナ１０−２：    １．００
アンテナ１０−３：    ９．５
アンテナ１０−４：    １．２
この場合、例えば、正規化された位相差累計値の平均値５．９を閾値Ｔｈとすると、アンテナ素子１０−１と１０−３の受信信号がセレクタ２９で除外され、受信信号重み係数制御部２１が、アンテナ素子１０−２と１０−４の受信信号に重み係数を与え、受信信号合成部が、これらの受信信号からＲｘＤを生成することになる。
【００３７】
以上の実施例では、有効信号決定部２１３による有効受信信号の選択が、所定周期で繰り返されるものとして説明したが、合成対象となる有効受信信号の決定は、各通信フレームの特定の領域、例えば、プリアンブル部でのみ実行するようにしてもよい。
【図面の簡単な説明】
【００３８】
【図１】本発明の無線通信装置の主要部となるディジタル信号処理部の機能構成図。
【図２】アダプティブアレイアンテナ基地局に適用される無線通信装置の従来構成を示す図。
【図３】アレイアンテナの受信信号に現れる位相変化の１例を示す図。
【図４】干渉波の影響によるアンテナ指向性のずれを示す図。
【図５】アレイアンテナに入力される希望波と干渉波との関係を示す図。
【図６】移動端末から送信される通信フレームのフォーマットの１例を示す図。
【図７】受信機とＡ／Ｄ変換器の出力信号を説明するための図。
【図８】アレイアンテナの受信信号に現れる位相変化の他の例を示す図。
【符号の説明】
【００３９】
１０：アンテナ、１１：受信機、１２：Ａ／Ｄ変換器、１３：Ｄ／Ａ変換器、１４：送信機、２０、２００：ディジタル信号処理装置、２１：受信信号重み係数制御部、２２：送信信号重み係数制御部、２３、２６：乗算器、２４：加算器、２６：分配器、２７：変調器、２１０：受信信号選択部、２１１：基準位相生成部、２１２：位相差検出部、２１３：有効信号決定部。
【図１】
2007074192.tif 000003
【図２】
2007074192.tif 000004
【図３】
2007074192.tif 000005
【図４】
2007074192.tif 000006
【図５】
2007074192.tif 000007
【図６】
2007074192.tif 000008
【図７】
2007074192.tif 000009
【図８】
2007074192.tif 000010